【手続補正書】
【提出日】平成21年9月8日(2009.9.8)
【手続補正１】
【補正対象書類名】特許請求の範囲
【補正対象項目名】全文
【補正方法】変更
【補正の内容】
【特許請求の範囲】
【請求項１】
担体細片（１８）と、
覆うように整列する形で、前記担体細片の前面（２７）に接着剤（２４）で剥離可能に貼着されたラベル表面層シート（１４）と、を備えたラベルシート集合体（１０）であって、
前記ラベル表面層シート（１４）は、複数の切り取り線（３０）を有しており、この複数の切り取り線は、予め定められたタブ（５６）配置を有するタブ付きメンバー（５８）の積み重ね群から外側に延びているところの位置ずれしたタブ（５６）のセットにほぼ対応したずれ方で、互いに間隔を隔てている複数のラベル（３２）の境界線を少なくとも規定するものであり、
前記担体細片（１８）は、前記表面層ラベル（３２）の境界線の一部分とほぼ同じ形状を有するがそれぞれのラベル（３２）よりもわずかに小さいサイズをした複数の切り取り縁（３４）によって規定されており、
前記担体細片（１８）は、重複部分（３８）を規定する前記複数のラベル（３２）の各々の少なくとも一部分と重なり、前記重複部分（３８）は、前記担体細片（１８）が分離された位置にある場合に、前記複数のラベル（３２）における各ラベル（３２）の裏面の接着表面（２４）を露出するように設けられている、ラベルシート集合体。
【請求項２】
前記担体細片（１８）が前記ラベルシート集合体（１０）から剥離された後も、当該ラベルシート集合体（１０）の寸法が変わらない、請求項１に記載のラベルシート集合体。
【請求項３】
ラベルシート集合体（１０）であって、
裏地シート（１６）と、
裏面（２９）および前面（２７）を有する担体シート（１８）とを備え、
前記担体シートの裏面（２９）は、前記裏地シート（１６）の前面（１７）に対しこれを覆うように整列する形で剥離可能に貼着されると共に、前記担体シートの前面（２７）に配置された剥離剤コーティング（２６）を有しており、
当該ラベルシート集合体（１０）は更に、前記担体シート（１８）の前面（２７）に対しこれを覆うように整列する形で接着剤（２４）にて剥離可能に貼着されたラベル表面層シート（１４）を備え、
前記ラベル表面層シート（１４）は、当該ラベル表面層シート（１４）を貫通するが前記担体シート（１８）は貫通しない複数の切り取り線（３０）を有しており、この複数の切り取り線（３０）は、予め定められたタブ（５６）配置を有するタブ付きメンバー（５８）の積み重ね群から外側に延びているところの位置ずれしたタブ（５６）のセットにほぼ対応したずれ方で、互いに間隔を隔てている複数のラベル（３２）の境界線を少なくとも規定するものであり、
前記裏地シート（１６）、前記担体シート（１８）および前記ラベル表面層シート（１４）により積層構造のシート集合体（１０）を形成し、
前記担体シート（１８）は、前記担体シート（１８）を貫通するが前記ラベル表面層シート（１４）または裏地シート（１６）は貫通しない複数の切り取り線を有しており、この複数の切り取り線は、前記ラベル（３２）の境界線の一部分とほぼ同じ形状を有するが各ラベル（３２）よりもわずかに小さいサイズを有して、複数の担体細片（１８）を規定するものであり、
各担体細片（１８）は、前記裏地シート（１６）から剥離され、これにより、担体細片（１８）上のラベルの一部分との重複部分（３８）および各ラベルの裏側接着面を露出させることができ、前記担体細片（１８）により、ユーザが、少なくとも１つの表面上の所望の位置に前記ラベル（３２）を位置決めしてそこに前記接着剤（２４）で接着することができるものであり、前記少なくとも１つの表面は、タブ付きメンバー（５８）の積み重ね群の位置ずれしたタブ（５６）を含むものである、ラベルシート集合体。
【請求項４】
前記ラベル表面層シート（１４）は、インクおよび／またはレーザ受容性の表面層シート（１４）を含むものであり、前記担体シート（１８）は紙であり、前記裏地シート（１６）は、剥離コートされた紙の裏地シートである、請求項３に記載のラベルシート集合体。
【請求項５】
前記裏地シート（１６）、前記担体シート（１８）および前記ラベル表面層シート（１４）は、積層構造を形成し、その積層構造は、印刷機または複写機を通過すると共に、前記担体細片（１８）が分離位置に剥離される前に所望の見出しをラベル（３２）上に印刷するように構成されている、請求項３に記載のラベルシート集合体。
【請求項６】
ラベルシート集合体（１０）であって、
裏地シート（１６）と、
前記裏地シート（１６）に剥離可能に付けられた担体シート（１８）とを備え、
前記担体シート（１８）は、少なくとも部分的に担体細片（１８）を規定する少なくとも１つの弱化分離線（３４）を含み、
当該ラベルシート集合体（１０）は更に、前記担体シート（１８）に剥離可能に付けられたラベル表面層シート（１４）を備え、
前記ラベル表面層シート（１４）は、整列した複数のラベル（３２）の境界線を少なくとも部分的に規定する少なくとも１つの弱化分離線（３０）を含み、
前記担体細片（１８）は、前記裏地シート（１６）上の取付け位置にあり、前記裏地シート（１６）から剥離された際には剥離位置に位置決め可能なように構成されており、前記ラベルの底面の一部分は、前記担体細片（１８）が前記剥離位置にあるときに露出され、前記ラベル（３２）の境界線の少なくとも一部分が前記担体細片（１８）に重なって、担体細片の重複部分（３８）を規定すると共に、逆側で前記担体細片（１８）に対して付着され、これにより、前記ラベル（３２）が、位置ずれした複数のタブ（５６）に対し、整列された付着位置にて付着されるものであり、
当該ラベルシート集合体（１０）は更に、前記取付け位置にあるときに前記担体シート（１８）を前記表面層シート（１４）に接着すると共に、前記ラベル（３２）が前記付着位置にあるときに前記ラベル（３２）を前記位置ずれしたタブ（５６）に接着するための接着手段（２４）を備える、ラベルシート集合体。
【請求項７】
前記ラベル表面層シート（１４）は、インクおよび／またはレーザ受容性の表面層シートを含むものであり、前記担体シート（１８）は紙であり、前記裏地シート（１６）は、剥離コートされた紙の裏地シートである、請求項６に記載のラベルシート集合体（１０）。
【請求項８】
前記ラベル表面層シート（６４）は、インクおよび／またはレーザ受容性の表面層シートを含むものであり、前記担体シート（６８）はフィルムで、前記裏地シート（７２）は、熱シール可能なシートである、請求項６に記載のラベルシート集合体（６０）。
【請求項９】
見出しつき仕切りページラベル付着キットであって、
少なくとも１セットの仕切りページシート（５８）を備え、前記仕切りページシート（５８）が互いに重なり合う際に、各シートが、所定の配置で、互いに垂直方向に位置がずれ且つ外側に延びる仕切りページタブ（５６）を有しており、
少なくとも１つの感圧性ラベルシート集合体（１０）を備え、この集合体が、少なくとも１つの担体細片（１８）と、ラベル表面層シート（１４）とを有し、前記少なくとも１つの担体細片（１８）および前記ラベル表面層シート（１４）は、感圧性接着材料層（２４）によって剥離可能に一体保持され、
前記ラベル表面層シート（１４）は、複数の切り取り線（３０）を有しており、この切り取り線（３０）は、仕切りページシート（５８）から外側に延びる仕切りページタブ（５６）の所定の配置にほぼ対応する整列構成で、距離をおいて配列されるところの、事前切り込みを入れた複数のラベル（３２）の境界線を規定するものであり、
前記少なくとも１つの担体細片（１８）が仕切りページシート（５８）セット上の仕切りページタブ（５６）に重なった際に、前記事前切り込みラベル（３２）の各々が、各仕切りページタブ（５６）の上部に位置するように、前記少なくとも１つの担体細片（１８）は、前記事前切り込みラベル（３２）の境界線の一部分とほぼ同じ形状を有するがそれぞれのラベル（３２）よりもわずかに小さいサイズをした複数の切り取り縁（３４）を有し、
前記事前切り込みラベル（３２）は、前記少なくとも１つの担体細片（１８）に重なる縁の周囲で、前記少なくとも１つの担体細片（１８）に逆側で接着され、
当該見出しつき仕切りページラベル付着キットは更に、
前記少なくとも１つの担体細片（１８）を、前記仕切りページシートセット（５８）上で仕切りページタブ（５６）と整列させるための整列ガイド（１０９）を備えており、
これにより、ユーザは、
（ｉ）前記整列ガイド（１０９）を用いて、前記少なくとも１つの担体細片（１８）を、前記仕切りページシートセット（５８）上の仕切りページタブ（５６）と整列させ、
（ｉｉ）前記少なくとも１つの担体細片（１８）と、前記少なくとも１つの担体細片（１８）に付いている事前切り込みラベル（３２）とを、前記裏地シート（１６）とラベル表面層シート（１４）とから分離し、
（ｉｉｉ）前記少なくとも１つの担体細片（１８）に付いている事前切り込みラベル（３２）が仕切りページシート（５８）の仕切りページタブ（５６）上に位置付けられるように、前記少なくとも１つの担体細片（１８）を、仕切りページシート（５８）を横断して位置付けおよび整列させ、
（ｉｖ）前記少なくとも１つの担体細片（１８）が前記ラベル（３２）から分離される際に、前記少なくとも１つの担体細片（１８）に重なっている前記ラベル（３２）の前記少なくとも１つの縁が、前記少なくとも１つの担体細片（１８）の周囲で撓み、その結果、前記ラベルが仕切りページタブ（５６）上に残るように、前記少なくとも１つの担体細片（１８）を上に持ち上げ、仕切りページシート（５８）から引き離すことができる、
ことを特徴とする、見出しつき仕切りページラベル付着キット。
【請求項１０】
前記整列ガイド（１０９）は、整列細片（１２４）の前面からから延びる複数の整列ピン（１２２）の１つを有し、前記仕切りページシート（５８）は、前記複数の整列ピン（１２２）の少なくともいくつかと整列して当該シート（５８）を貫通する複数の孔（１２６）を有しており、
前記複数の整列ピン（１２２）の少なくともいくつかが前記仕切りページシート（５８）に形成された孔（１２６）内に位置決めされるときに、あるいは、剥離可能なテープ（１１６）が前記仕切りページシート（５８）上に位置決めされるときに、前記仕切りページシート（５８）が整列し、これにより、仕切りページシート（５８）のタブ（５６）を適切な配列で整列させることを特徴とする、請求項９に記載の見出しつき仕切りページラベル付着キット。